(57)【要約】【課題】データ放送サービスに対応したデジタルデータ放送出力の制御システムを提供することを目的とする。【解決手段】映像、音声あるいはデータを含むデジタルデータ放送番組を受信し、再生可能なデジタルデータ放送受信装置と、前記受信したデジタルデータ放送情報を記憶メディアに記録、保存する録画再生装置と、前記デジタルデータ放送受信装置及び前記録画再生装置のすくなくとも何れかに接続され、前記記録したデジタルデータ放送情報を出力する印刷装置と、から構成され、前記デジタルデータ放送受信装置に、外付け又は内蔵されて接続された記録再生装置にデジタルデータ放送情報を録画すると共に、前記デジタルデータ放送情報を表示、又は印刷する際に、認証コードの有無を判定する判定手段と、前記判定手段によって、前記デジタルデータ放送情報の出力形態を制限することを特徴とする。【選択図】図４
2008311788.tif 000002
【特許請求の範囲】
【請求項１】
映像、音声あるいはデータを含むデジタルデータ放送情報を受信して、再生することができるデジタルデータ放送受信装置と、
前記受信したデジタルデータ放送情報を記憶メディアに記録する録画再生装置と、
前記デジタルデータ放送受信装置及び前記録画再生装置の少なくとも何れかに接続され、前記記録したデジタルデータ放送情報を出力する印刷装置と、から構成されるデジタルデータ放送情報の制御システムであって、
前記デジタルデータ放送受信装置に、外付け又は内蔵されて接続された前記録画再生装置に前記受信したデジタルデータ放送情報を録画すると共に、前記デジタルデータ放送情報を表示、又は印刷する際に、認証コードの有無を判定する判定手段と、
前記判定手段による判定に基づいて、前記デジタルデータ放送情報の出力形態を制限することを特徴とするデジタルデータ放送情報の制御システム。
【請求項２】
前記録画されたデジタルデータ放送情報を出力する場合に、前記デジタルデータ放送受信装置の認証コードと、前記録画再生装置の記憶メディア上に記録されている認証コードとの有無により、録画した機器以外における出力であっても、前記録画されているデジタルデータ放送情報を、出力装置に出力形態を変えて出力できることを特徴とする請求項１に記載のデジタルデータ放送情報の制御システム。
【請求項３】
前記録画再生装置を用いて、前記録画されたデジタルデータ放送情報を出力する際に、前記判定手段による判定に基づいて、解像度の異なった出力を行なうことを特徴とする請求項１又は２に記載のデジタルデータ放送情報の制御システム。
【請求項４】
前記録画再生装置を用いて、前記録画されたデジタルデータ放送情報を出力する際に、前記判定手段による判定に基づいて、色数の異なった出力を行なうことを特徴とする請求項１又は２に記載のデジタルデータ放送情報の制御システム。
【請求項５】
前記録画再生装置を用いて、前記録画されたデジタルデータ放送情報を出力する際に、前記判定手段による判定に基づいて、前記デジタルデータ放送情報の一部に、出力データと同一面上に形成されるように付加情報を付加して出力を行なうことを特徴とする請求項１又は２に記載のデジタルデータ放送情報の制御システム。
【請求項６】
前記録画再生装置を用いて、前記録画されたデジタルデータ放送情報を出力する際に、前記出力形態の制限に用いる認証コードが、放送受信認証に使用されているＢ−ＣＡＳカードの認証コードであることを特徴とする請求項１乃至５の何れか１項に記載のデジタルデータ放送情報の制御システム。
【発明の詳細な説明】
【技術分野】
【０００１】
本発明は、デジタルデータ放送情報の制御システムに関する。
【背景技術】
【０００２】
現在、データ放送は、地上波テレビ放送において一部の放送局が放送を開始し、また、衛星テレビ放送においても放送が開始されている。これらのデータ放送は、いずれも放送局からデータを放送電波に重畳して送信するものである。受信装置側では、受信し蓄積したデータをパーソナルコンピュータ（以下パソコン）や専用端末に読み込み、汎用ＷＷＷ（Ｗｏｒｌｄ  Ｗｉｄｅ  Ｗｅｂ）ブラウザソフトで表示するものである。昨今、上記のようなデータ放送サービスを、パソコンだけでなくテレビ受像機でも受信可能にすることにより、データ放送を利用した新たなサービスの提供が開始されてきている。即ち、テレビ受像機自体にデータ放送の受信機能並びに再生ソフトを搭載することにより、パソコンを持たないユーザでも手軽に様々な情報を閲覧できるようになる（独立型データ放送）。テレビ番組と連動した情報を文字や画像で表示させるサービスが提供できるようになるのである（番組連動型データ放送）。
【０００３】
国内において、このようなサービスを行なうための規格としては、社団法人電波産業会（通称ＡＲIＢ）における標準規格ＡＲＩＢ−ＳＴＤ−Ｂ２４がある。衛星デジタル放送を受信するテレビ受信機の構成を図６に基づき説明する。テレビ受信機は、チューナ部２５１、デスクランブラ２５２、トランスポートデコーダ２５３、オーディオデコーダ２５４、ビデオデコーダ２５５、Ｄ／Ａ変換器２５６、スピーカ２５７、ＣＰＵ（中央演算処理装置）２５８を有する。また、テレビ受信機は、グラフィック生成部２５９、動画プレーン２６０、静止画プレーン２６１、文字図形プレーン２６２、画面合成部２６３、表示器２６４を備えている。
【０００４】
放送局では、通常のテレビ番組の番組データ、音声データ及びデータ放送データを符号化する。そして、それらの符号化信号が多重化された後に、変調されてアンテナから出力する。アンテナから出力された信号は、放送衛星（ＢＳ）を介してユーザ側端末（テレビ受信機）に送られる。テレビ受信機においては、受信した信号のうちからユーザによって選択された番組に対応するチャンネルの周波数帯域の信号がチューナ部２５１によって選択される。チューナ部２５１は、入力された信号に対して、復調、誤り訂正等の処理を施し、トランスポートストリーム（ＴＳ）と呼ばれる形式のデジタルデータを生成し、デスクランブラ２５２を介してトランスポートデコーダ２５３に出力する。トランスポートデコーダ２５３では、ユーザによって選択された番組に対応するパケットが抽出される。そして、抽出されたパケット内の映像データは、ビデオデコーダ２５５によって復号化された後、グラフィックバッファ内の動画プレーン２６０に送られる。抽出されたパケット内の音声データは、オーディオデコーダ２５４によって復号化された後、スピーカ２５７に出力される。抽出されたパケット内のデータ放送データは、ＣＰＵ２５８に送られて復号化された後、データ記憶装置に格納される。ＣＰＵ２５８は、データ放送の内容を表示する際には、データ記憶装置に格納したデータを読み出す。そして、グラフィック生成部２５９を介して文字や図形の画像データに変換した後、グラフィックバッファの「文字図形プレーン」２６２または「静止画プレーン」２６１に送る。文字図形プレーンとは、主にデータ放送におけるＵＩ（ユーザーインターフェース）となるボタンやテキスト、図形、絵などのビットイメージを格納するものであり、静止画プレーンとは、写真画像などのビットイメージを格納するものである。画面合成部２６３では、グラフィックバッファ内の動画プレーン２６０、文字図形プレーン２６２、静止画プレーン２６１に格納されたグラフィックデータの合成処理を行い、表示器２６４へ出力する。
【０００５】
データ放送は、ＩＳＯ／ＩＥＣ１３８１８−６に規定されているＤＳＭ−ＣＣのデータカルーセル方式により、放送局から繰り返しデジタルデータが送出されてくる。トランスポートデコーダ２５３によってフィルタリングされたデータ放送データには、テキスト情報、スクリプト情報、画像情報、映像・音声データが含まれている。テキスト情報はＷ３Ｃの規定するＸＭＬ（ｅＸｔｅｎｓｉｂｌｅ  Ｍａｒｋｕｐ  Ｌａｎｇｕａｇｅ）によって記述されている。このデータ放送を利用して、テレビ受信機を使った様々なサービスをユーザに提供する試みがなされている。例えば、ショッピング番組の放送中にデータ放送で商品の詳細情報や画像を配信し、ユーザ操作によって番組で紹介中の商品の詳細な情報を表示するといったサービスが考えられている。このようなデータ放送サービスを番組連動型のデータ放送サービスと呼んでいる。このようなデータ放送サービスによって配信された情報は、テレビ画面に表示されるだけでなく印刷して残すことができれば、ユーザの利便性は更に向上することになる。データ放送を受信し、印刷する方法は、従来からパソコンのデータ放送受信ボードで受信して情報を蓄積しておき、専用アプリケーション等を使って印刷する方法が実用されている。また、例えば、特許文献１に示すようにに開示されている如く、新聞、雑誌、ポスター等の情報を専用の端末に配信するシステムを提案している。
【０００６】
【特許文献１】特開平１１−３１３１９１号公報
【発明の開示】
【発明が解決しようとする課題】
【０００７】
しかしながら、上述した従来技術においては下記のような問題があった。特に、上述したようなパソコンでデータを蓄積して印刷する方法では、基本的に表示用コンテンツを「そのまま」印刷するものであり、文字の大きさや、レイアウト等、印刷用に最適化されたものを印刷することはできなかった。また、特定の印刷装置用に作成されたドライバ・ソフトウエアをインストールすることにより、例えば、横方向の長さを縮小する等の処理を施す事により、１枚のメディアに内に見栄え良く印刷出力を行なうように構成されたものも存在している。一方、上述の特許文献１において提案されているシステムでは、印刷専用の機器をターゲットにデータが配信されるもので、同じ機器を使って表示用データ放送コンテンツやデジタル放送の映像を楽しむことはできなかった。
【０００８】
このように、従来の技術では、データ放送における印刷用コンテンツと表示用コンテンツは全く独立しており、受信装置も全く別の装置を必要としていた。例えば、コンテンツ製作者（配信者）が、表示用コンテンツと共に印刷専用のデータとして配信したり、データ放送の表示コンテンツ中にコンテンツの印刷を行なうためのボタンやアイコンを配置したりすることはできないという問題があった。また、従来の技術では、データ放送時に配信されてくる各種データを一時的にメモリ上に蓄積して印刷を行なうわけであるが、配信データ受信時に、一度認証をパスして正常な（本来の）データを得てから後では、基本的なプロテクト手段が存在しない。このため、極端に言えば、著作権が無いことと同じ扱いとなってしまい、誰であっても簡単に印刷が実行できてしまうと言った問題点が存在していた。
【０００９】
本発明は、情報のプリントアウトという新たなサービスを加えることを可能としたデータ放送受信再生システム及び記憶媒体に録画された放送データを再生する際の表示、及びまたは印刷のための制御システムを提供することを第１の目的とする。また、本発明は、出力指示された認証用のＢ−ＣＡＳカードが挿入された状態で受信された放送データで有るか否かにより、出力に対して制限を加える制御システムを提供することを第２の目的とする。また、データ放送コンテンツを受信して録画する際に、認証用のＢ−ＣＡＳカードが挿入された状態で録画された放送データで有るか否かにより、出力に対して制限を加える制御システムを提供することを第３の目的とする。また、デジタルデータ放送コンテンツを受信して録画された記録媒体を、録画されたデータ受信装置以外で再生する場合に、出力に制限を加えることが可能な制御システムを提供することを第４の目的とする。
【課題を解決するための手段】
【００１０】
本発明のデジタルデータ放送情報の制御システムは、映像、音声あるいはデータを含むデジタルデータ放送情報を受信して、再生することができるデジタルデータ放送受信装置と、前記受信したデジタルデータ放送情報を記憶メディアに記録する録画再生装置と、前記デジタルデータ放送受信装置及び前記録画再生装置の少なくとも何れかに接続され、前記記録したデジタルデータ放送情報を出力する印刷装置と、から構成されるデジタルデータ放送情報の制御システムであって、前記デジタルデータ放送受信装置に、外付け又は内蔵されて接続された前記録画再生装置に前記受信したデジタルデータ放送情報を録画すると共に、前記デジタルデータ放送情報を表示、又は印刷する際に、認証コードの有無を判定する判定手段と、前記判定手段による判定に基づいて、前記デジタルデータ放送情報の出力形態を制限することを特徴とする。
【発明の効果】
【００１１】
本発明によれば、録画メディアの再生の場合においても、どちらにも認証コードが存在しているか否かにより出力画像に対して制限を加えることができる。また、正規契約ユーザには所望の画像データを提供することができる。また、出力された画像情報を見ただけで、正規出力物であるか否かの判断ができるようになるため、違法コピー出力等を防止する機器として提供することができる。
【発明を実施するための最良の形態】
【００１２】
以下、本発明の実施の形態を、図面を用いて詳細に説明する。
（第１の実施携帯）
図１は、第１の実施形態に係るデジタルテレビ受信装置（デジタルデータ放送受信装置）の構成を示すブロック図である。デジタルテレビ受信装置１００は、チューナ部１０１、デスクランブラ１０２、トランスポートデコーダ１０３、オーディオデコーダ１０４、Ｄ／Ａ変換器１０５、ビデオデコーダ１０６を有する。また、デジタルテレビ受信装置１００は、動画プレーン１０７と静止画プレーン１０８と文字図形プレーン１０９とを有するグラフィックバッファ１２１、グラフィック生成部１１０を有する。また、デジタルテレビ受信装置１００は、画面合成部１１１、メモリ１１２、モデム１１３、ＩＥＥＥ１３９４インターフェース１１４、操作部１１５、受光部１１６を有する。さらに、デジタルテレビ受信装置１００は、ＩＣカード制御部１１７、ＣＰＵ１１８、ハードディスク１１９、シリアルインターフェース１２０、バス１２２を有する。図１において、デジタルテレビ受信装置１００には、ＶＴＲ（録画再生装置）１３０、プリンタ１３１、リモコン１３２、スピーカ１３３、表示器（ＴＶ）１３４等が接続される。なお、録画再生装置１３０は、ＶＴＲの他、ＤＶＤ録画再生装置等でもよく、またデジタルテレビ受信装置１００に外付けの他、内蔵されていてもよい。
【００１３】
まず、アンテナ（図示略）により受信された信号は、チューナ部１０１に入力される。チューナ部１０１は、入力された信号に対して、復調、誤り訂正等の処理を施し、トランスポートストリーム（ＴＳ）と呼ばれる形式のデジタルデータを生成する。更に、チューナ部１０１は、生成したトランスポートストリーム（ＴＳ）データをデスクランブラ１０２に出力する。
デスクランブラ１０２は、視聴制限のためのスクランブルがかけられているＴＳデータがチューナ部１０１より入力されると、ＴＳデータに含まれるデスクランブルのための鍵情報とＩＣカード制御部１１７より出力される鍵情報とに基づきスクランブル解除を行う。その後、トランスポートデコーダ１０３に出力する。ここで、ＩＣカード制御部１１７は、ユーザの契約情報及びＴＳデータに含まれるデスクランブラのための鍵情報を解くための鍵情報が格納されているＩＣカードを含むものである。
【００１４】
デスクランブラ１０２より入力されたデスクランブルのための鍵情報を解くための鍵情報があった場合、その鍵情報をデスクランブラ１０２に出力する。デスクランブラ１０２は、チューナ部１０１よりスクランブルがかけられていないＴＳデータが入力された場合には、ＴＳデータをトランスポートデコーダ１０３に出力する。トランスポートデコーダ１０３は、ユーザによって選択された番組に対応するパケットを抽出する。そして、抽出されたパケット内の映像データは、ビデオデコーダ１０６によって復号化された後、グラフィックバッファ１２１内の動画プレーン１０７に送られる。抽出されたパケット内の音声データは、オーディオデコーダ１０４によって復号化された後、Ｄ／Ａ変換器１０５を介してスピーカ１３３に出力される。抽出されたパケット内のデータ放送データは、ＣＰＵ１１８に接続されているバス１２２を介してメモリ１１２に取り込まれ、後述するＣＰＵ１１８の処理によって復号化された後、ハードディスク１１９に格納される。
【００１５】
ＣＰＵ１１８は、データ放送の内容を表示する際にはデータ記憶装置に格納したデータを読み出し、グラフィック生成部１１０を介して文字や図形の画像データに変換する。その後、グラフィックバッファ１２１内の文字図形プレーン１０９または静止画プレーン１０８に送る。また、ＣＰＵ１１８は、プログラムに基づき後述の各フローチャートに示す処理を実行する。画面合成部１１１では、グラフィックバッファ１２１内の動画プレーン１０７、文字図形プレーン１０９、静止画プレーン１０８に格納されたグラフィックデータの合成／切換処理を行い、表示器１３４へ出力する。表示器１３４は、送られてきた画像を表示するものであり、その内部に表示器１３４の画面サイズ等の情報を保存したメモリを備えている。表示器１３４のメモリの情報は、デジタルテレビ受信装置１００と表示器１３４の間で接続されたシリアルバスによってデジタルテレビ受信装置１００へと送られ、シリアルインターフェース及びバス１２２を介してＣＰＵ１１８が管理するメモリ１１２に格納される。バス１２２には、更にＩＥＥＥ（Ｉｎｓｔｉｔｕｔｅ  Ｏｆ  Ｅｌｅｃｔｒｉｃａｌ  Ａｎｄ  Ｅｌｅｃｔｒｏｎｉｃｓ  Ｅｎｇｉｎｅｅｒｓ）１３９４インターフェース１１４及びモデム１１３が接続されている。ＩＥＥＥ１３９４インターフェース１１４は、本デジタルテレビ受信装置１００が外部に接続されたＶＴＲ１３０やプリンタ１３１とプロトコル通信を行なうために用いられる。
【００１６】
モデム１１３は、電話回線経由でインターネット接続するために用いられる。デジタルデータ放送は、ＩＳＯ／ＩＥＣ１３８１８−６に規定されているＤＳＭ−ＣＣのデータカルーセル方式により、放送局から繰り返しデジタルデータが送出されてくる。トランスポートデコーダ１０３によってフィルタリングされたデータ放送データには，テキスト情報、スクリプト情報、表示用レイアウト情報、印刷用レイアウト情報、画像情報、映像・音声データが含まれている。テキスト情報は、Ｗ３Ｃの規定するＸＭＬ（ｅＸｔｅｎｓｉｂｌｅ  Ｍａｒｋｕｐ  Ｌａｎｇｕａｇｅ）によって記述されている。また、ＶＴＲ１３０は、デジタルテレビ受信装置１００で受信した番組の録画や再生を行なう。
【００１７】
プリンタ１３１は、デジタルテレビ受信装置１００から送出される印刷データに基づき紙等の記録媒体上に画像を形成する印刷動作を行なう。リモコン１３２（詳細は不図示）は、各種キーを備えており、デジタルテレビ受信装置１００に対する各種操作に用いる。スピーカ１３３は、デジタルテレビ受信装置１００から送出される音声データに基づき音声を出力する。表示器１３４は、デジタルテレビ受信装置１００から送出される画像データに基づき各種表示を行なう。また、一般的にリモコン１３２は、発光部、電源キー、カーソルキー、「ｄ」キー（ｄボタン）、表示キー、数字キー、メニューボタン、ＵＰ／ＤＯＷＮキー、カラーキーを備え、ＴＶに対して各種の操作制御を行うことができるようになっている。
【００１８】
次に、第１の実施形態に係るデジタルテレビ受信装置の出力装置への制限方法についての動作を詳細に説明する。
図３は、デジタル放送受信装置の処理動作を示すフローチャートである。このフローチャートは、デジタル放送受信装置の電源がＯＮされてから処理が行われる。
ステップＳ１において、デジタル放送受信装置に放送受信認証に使用されるＢ−ＣＡＳカード（認証コード）が挿入されているか否かの判断が行なわれる。ここで、カードが挿入されていなかった場合には、ステップＳ２で、認証ができないため放送の受信ができない。ステップＳ１においてカードが挿入されていた場合には、ステップＳ３に進む。ステップＳ３において、挿入されているカードに記憶されている認証コードを取得すると共に、該認証コードを一時的に装置内の記憶部の特定エリアに書き込み記憶する。
次に、ステップＳ４では、取得して記憶している認証コードを、録画再生装置１３０の記憶メディア内へ書き込み処理を実行する。その後、ステップＳ５において、受信した放送情報を録画再生装置１３０に書き込む。このようにすることにより、受信した際に用いた認証コードを記憶メディア上にも記憶されると共に、実際に保存記憶しておきたいデータも一緒に記憶することができる。
【００１９】
図２は、認証コードが必要なときの例を示す図である。図２の録画時において、デジタルデータ放送を受信するためには、認証のための認証コードが必要不可欠であり、その情報が得られない場合には放送自体を受信することができない。認証コードがある場合は、図３のフローチャートにおいてステップＳ１からステップＳ３に進む流れとなる。また、認証コードがない場合は、図３のフローチャートにおいて、ステップＳ１からステップＳ２に進む流れとなる。
【００２０】
図４は、出力制御として印刷を例にした処理を示すフローチャートである。再生に関しては、録画記録されたデジタルデータを印刷出力する場合で、出力制限としては、モノクロ印刷とカラー印刷とを行なう場合を例にして説明する。
まず、ステップＳ１０において、録画された記憶メディアの再生時に、例えばリモコン１３２から印刷指示がなされたか否かの判断をする。印刷指示がなかった場合にはステップＳ１２に進み、その他の処理ルーチンを実行する。印刷指示があった場合には、ステップＳ１１に進む。
ステップＳ１１で、デジタルテレビ受信装置に認証用のＢ−ＣＡＳカード（認証用カード）が挿入されているか否かの判断を行なう（判定手段）。ステップＳ１１において認証用カードが挿入されていなかった場合には、ステップＳ１４に進む。認証用カードが挿入されていた場合には、ステップＳ１３に進む。
【００２１】
ステップＳ１３で、挿入されている認証カードのコード情報（ここでは、認証コードを「Ａ」とする）を取得する。
ステップＳ１４は、印刷指示はなされているが、認証用カードが挿入されていない状態である。この状態は、本発明の一つである出力時の制限事項にあたるため、色数を減らし、例えば、モノクロ出力（基データであるカラー画像を、２値化した処理データを用いて出力することでもよい）が実行される状態になる。この状態は、図２に示す再生時３の状態に対応している。
【００２２】
ステップＳ１５では、基本的には録画時に記憶メディア上に記録されているはずである認証コードが存在しているか否かの判断を行なっている（判定手段）。ここで、認証コードが存在していれば、ステップＳ１６に進む。存在していない場合には、ステップＳ１７で、本発明である出力時の制限事項の一つに当たるため、モノクロ出力が実行される状態になる。この状態は、図２に示す再生時４の状態に対応している。
【００２３】
ステップＳ１６では、ステップＳ１５で記憶メディア上に認証コードが存在しているため、該認証コード（この場合の認証コードを「Ｂ」とする）を取得して記憶部に記憶する。
次に、ステップＳ１８では、ステップＳ１３とステップＳ１６でデジタルテレビ受信装置、記憶メディア上に認証コードが存在していることが確認された。従って、印刷指示に対して制限を加えることなく、本来の画像データを用いて所望の出力結果を得ることができることになる。
また、各々認証コードが存在している場合であっても、図２の再生時１、再生時２、再生時２´の状態が考えられるが、これらの状態では同じ出力結果が得られるものとしている。つまり、録画した機器以外の記憶メディアであっても出力することができる。
このように、第１の実施形態によれば、認証コードの有無を判定し、出力形態を変更できるので、正規に契約した人に対しては、出力したいデジタルデータに対して、所望の綺麗な出力結果を得ることができる。
【００２４】
（第２の実施形態）
第１の実施形態では、印刷指示時の出力制限としてモノクロ出力、カラー出力という区別についてのみ説明したが、本実施形態では、印刷指示に対して低解像度、高解像度の出力結果が得られるように構成としている。以下、図５に示すフローチャートを用いて、実行される処理について説明をする。なお、第１の実施形態と同様の処理は簡略して説明する。
【００２５】
まず、ステップＳ２０において、録画された記憶メディアの再生時に、印刷指示がなされたか否かの判断をする。印刷指示がなかった場合にはステップＳ２２に進み、その他の処理ルーチンを実行する。印刷指示があった場合には、ステップＳ２１に進む。
ステップＳ２１で、デジタルテレビ受信装置に認証用のＢ−ＣＡＳカード（認証用カード）が挿入されているか否かの判断を行なう。ステップＳ２１において認証用カードが挿入されていなかった場合には、ステップＳ２４に進む。認証用カードが挿入されていた場合には、ステップＳ２３に進む。
【００２６】
ステップＳ２３で、挿入されている認証カードのコード情報（ここでは、認証コードを「Ａ」とする）を取得する。
ステップＳ２４は、印刷指示はなされているが、認証用のカードが挿入されていない状態である。この状態は、本発明の一つである出力時の制限事項にあたるため、低解像度出力（基データの間引き出力を用いて出力しても構わない）が実行される状態になる。この状態は、図３に示す再生時３の状態である。
【００２７】
ステップＳ２５では、基本的には録画時に記憶メディア上に記録されているはずである認証コードが存在しているか否かの判断を行なっている。ここで、認証コードが存在していれば、ステップＳ２６へ進む。存在していない場合には、ステップＳ２７で、本発明である出力時の制限事項の一つに当たるため、低解像度出力が実行される状態になる。この状態は、図２に示す再生時４である。
【００２８】
ステップＳ２６では、ステップＳ２５で記憶メディア上に認証コードが存在しているため、該認証コード（この場合の認証コードを「Ｂ」とする）を取得して記憶部に記憶する。
次に、ステップＳ２８では、ステップＳ２３とステップＳ２６でデジタルテレビ受信装置、記憶メディア上に認証コードが存在していることが確認されたため、印刷指示に対して制限を加えることなく、所望の高解像度出力結果を得ることができるように制御する
また、各々認証コードが存在している場合であっても、図３の再生時１、再生時２、再生時２´の状態が考えられるが、これらの状態では同じ出力結果が得られるものとしている。つまり、録画した機器以外の記憶メディアであっても出力することができる。
このように、第２の実施形態によれば、認証コードの有無を判定し、出力形態を変更できるので、正規に契約した人に対しては、出力したいデジタルデータに対して、所望の綺麗な出力結果を得ることができる。
【００２９】
（第３の実施形態）
上述の第１の実施形態では印刷指示に対してモノクロ出力又はカラー出力にする出力制限を行う場合について説明した。また、第２の実施形態では、印刷指示に対して低解像度出力又は高解像度出力とする出力制限を行なう場合について説明した。しかし、印刷指示に対してのみならず、記憶メディアの再生時である表示出力時においても同様の処理を施すことにより制限を加えることができる。例えば、未契約者に対しては本来の出力とはならないが、正規契約者には最良の出力を行うことができるようにしてもよい。このような表示制限を行う場合は、図５に示すフローチャートにおいて、印刷出力部分を、表示出力に変更することにより、実現することができる。また、例えば、未契約者に対してはモノクロでしか表示しないが、正規契約者にはカラーの出力を行うようにしてもよい。
【００３０】
上記実施形態では、印刷制限、表示制限、更には、各々の場合に於いて、モノクロ／カラー、低解像度／高解像度、の制御を行う場合について説明したが、これに限らず、認証の状態によって制限する方法は、他の方法であってもよい。更には、出力データとしては正規同様の出力データを用いて出力はするが、付加情報（例えば、広告情報、違法であることを示す文字、画像など）として、何らかの情報を必ずペアで出力し、該データを同一面上に形成するような出力するように構成してもよい。このように、本発明の趣旨を逸脱しない範囲で種々応用可能であることは言うまでも無い。
【図面の簡単な説明】
【００３１】
【図１】デジタルテレビ受信装置の構成を示す図である。
【図２】認証コードの有無によるデジタルテレビ受信装置と記録再生装置と印刷装置との構成を示した図である。
【図３】記憶メディアへの認証コード書き込み手順を示したフローチャートである。
【図４】第１の実施形態に係る記憶メディアの認証コード確認による処理手順を示したフローチャートである。
【図５】第２の実施形態に係る記憶メディアの認証コード確認による処理手順を示したフローチャート図である。
【図６】従来の衛星デジタル放送を受信するテレビ受信機の構成を示す図である。
【符号の説明】
【００３２】
１０１  チューナ部
１０２  トランスポートデコーダ
１１２  メモリ
１１４  ＩＥＥＥ１３９４インターフェース
１１８  ＣＰＵ
１１９  ハードディスク
１３０  ＶＴＲ
１３１  プリンタ
１３４  表示器
【図１】
2008311788.tif 000003
【図２】
2008311788.tif 000004
【図３】
2008311788.tif 000005
【図４】
2008311788.tif 000006
【図５】
2008311788.tif 000007
【図６】
2008311788.tif 000008